(57)【要約】【課題】本発明のへちまの補強用心材は、へちま繊維で作られる清浄用へちまの孔に挿入して、外力による孔の押し潰しを防止し、へちま本来の立体的形状を保持させるため、心として孔に詰めるものである。さらに、補強用心材に凹凸を設け、摺擦効果を高めるパーツとして提供しようとするものである。また、本発明の補強用心材を挿入した清浄用へちまは、へちま本来の立体的形状を保持できる清浄用へちまの提供と、摺擦効果を高めた清浄用へちまの提供を目的とするものである。【解決手段】へちまの孔に挿入する補強用心材を、伸縮材で形成する。また、その補強用心材に凹凸を設ける。また、その補強用心材を、へちまの孔に挿入する。【選択図】図２
2004008770.tif 000002
【特許請求の範囲】
【請求項１】
へちま（１）の孔（２）に挿入する補強用心材（３）であって、伸縮材（４）からなることを特徴とするへちまの補強用心材。
【請求項２】
へちま（１）の孔（２）に挿入する補強用心材（３）であって、伸縮材（４）からなり、かつ、凹凸（５）を設けたことを特徴とするへちまの補強用心材。
【請求項３】
へちま（１）の孔（２）に、伸縮材（４）からなるへちまの補強用心材（３）を挿入したことを特徴とする清浄用へちま。
【請求項４】
へちま（１）の孔（２）に、伸縮材（４）からなり、かつ、凹凸（５）を設けたへちまの補強用心材（３）を挿入したことを特徴とする清浄用へちま。
【発明の詳細な説明】
【０００１】
【発明の属する技術分野】
本発明は、浴用海綿状物として用いられるへちまの、補強用心材及びその補強用心材を挿入した清浄用へちまに関するものである。
【０００２】
【従来の技術】
清浄用へちまに関する従来技術としては、登録実用新案第３０２４９０３号公報「垢擦付洗浄具」がある。
へちまの繊維からなる洗浄体と絹地からなる垢擦とを固着するもので、掴みにくいとか背中が洗いにくいという従来の欠点解決を課題としている。
【０００３】
【発明が解決しようとする課題】
清浄用へちまは、使い勝手を考慮して、へちま繊維を１５〜２０ｃｍの大きさに輪切り状に裁断したものが通常的に用いられている。
このような清浄用へちまは、へちまの実の形を残した、へちま本来の立体的な形状で商品として提供されるが、外力により押しつぶされると復元力が弱く、特に孔の部分が押し潰されて、へちま本来の立体的な形状を保持できなくなり、清浄用具としての使用感が損なわれるという欠点がある。
本発明のへちまの補強用心材は、へちま繊維で作られる清浄用へちまの孔に挿入して、外力による孔の押し潰しを防止し、へちま本来の立体的形状を保持させるため、心として孔に詰めるものである。
さらに、補強用心材に凹凸を設け、摺擦効果を高めるパーツとして提供しようとするものである。
また、本発明の補強用心材を挿入した清浄用へちまは、へちま本来の立体的形状を保持できる清浄用へちまの提供と、摺擦効果を高めた清浄用へちまの提供を目的とするものである。
【０００４】
【課題を解決するための手段】
上記課題を解決するため、へちまの孔に挿入する補強用心材を、伸縮材で形成する。
【０００５】
また、へちまの孔に挿入する補強用心材を、伸縮材で形成し、かつ、その補強用心材に凹凸を設ける。
【０００６】
また、へちまの孔に、伸縮材からなるへちまの補強用心材を挿入する。
【０００７】
また、へちまの孔に、伸縮材からなり、かつ、凹凸を設けたへちまの補強用心材を挿入する。
【０００８】
【発明の実施の形態】
清浄用へちまは、使い勝手を考慮して、へちま繊維を１５〜２０ｃｍの大きさに輪切り状に裁断したものが通常的に用いられている。
本発明のへちまの補強用心材は、へちま繊維を輪切り状に裁断したもの、又は、裁断しない前のへちまの孔に挿入するもので、孔とは、へちまの種が入っていた部分をいうものである。
伸縮材とは、外力を加えると縮み、止めると復元しようとする力が作用する材料をいい、例えば、スポンジやゴム、合成ゴム、合成樹脂製品などのほか、特に本発明ではへちま繊維を含む。伸縮材を単独、又は他の素材と組み合わせて補強用心材が形成される。
なお、スポンジは、硬質のスポンジを用いることが望ましい。
形状は、へちまの孔に挿入しやすい形状として、へちまの孔の形状を模した柱状体として形成するほか、円柱状や楕円柱状などに形成する。
補強用心材に凹凸を設ける場合、大きめの凹凸と小突起を組み合わせて設けると一層効果的である。
なお、へちま繊維を補強用心材とする場合は、例えば、へちまの繊維を柱状体に圧し、糸などで周囲を巻きつけ柱状体に形成する。この場合、糸の巻き具合を変えることで凹凸を設けることも可能である。
へちまの孔に補強用心材を挿入する作業は手作業で行うことができる。
手作業の実施の一形態としては、補強用心材をプラスチック製の筒など、表面が滑らかで硬い材質で作られた筒に圧し入れ、へちまの孔よりも細く縮めた状態で挿入し、へちまと一体化させる方法がある。
【０００９】
【実施例】
以下実施例について図面を参照して説明する。
図１は、へちまの補強用心材の実施例を示す斜視図である。
実施例のへちまの補強用心材３は、伸縮材４として硬質のスポンジを用いて形成されている。
形状は、へちまの孔に挿入しやすい形状例として、円柱状に形成されている。なお、図１では、請求項２の構成を取り入れ、補強用心材３に凹凸５が設けられている。
図２は、補強用心材を挿入した清浄用へちまの実施例を示す斜視図である。
へちまは、１５ｃｍの大きさに輪切り状に裁断したものが用いられている。
へちま１の孔２に、伸縮材４として硬質のスポンジを用いて円柱状に形成された補強用心材３が挿入され一体化されている。挿入に際しては、へちまの孔よりも小さな径のプラスチック製の筒が用いられた。
なお、図２では、請求項４の構成を取り入れ、補強用心材３に凹凸５が設けられている。
【００１０】
【発明の効果】
本発明のへちまの補強用心材は、へちま繊維で作られる清浄用へちまの孔に挿入することにより、外力が加えられた場合にも、へちまの孔部分が押し潰されなくなり、へちま本来の立体的形状を保持することができる。
また、本発明のへちまの補強用心材は、伸縮材で形成されているので、使い勝手の良好な清浄用具を提供することができる。（木や鉄などの補強用心材は、体の線に沿って曲がらない、伸縮しないので皮膚への当たりが強すぎる、などの欠点があり使用感が悪い）
また、伸縮材からなるへちまの補強用心材は、へちまの孔に挿入することにより、伸縮材の作用により脱落しないので、接着や逢着の処理をしないでへちまとの一体化が計れる。
凹凸を設けたへちまの補強用心材は、へちまの孔に挿入した心材が容易に脱落しなくなると共に、凹凸部が洗浄時の摺擦効果を高める。
また、補強用心材を、へちまの孔に挿入して清浄用へちまを得る方法は、外観や使用感などの点から自然物としてのへちまの風趣を損なわない加工処理法を提供するものでもある。
特に、へちま繊維からなる補強用心材を挿入した場合、へちま繊維１００％のものを提供することができ、自然素材にこだわりを持ったユーザーの要望に応えることができる。
補強用心材を、へちまの孔に挿入して得られる清浄用へちまは、上記の効果を得るものである。
【図面の簡単な説明】
【図１】図１は、へちまの補強用心材の実施例を示す斜視図である。
【図２】図２は、補強用心材を挿入した清浄用へちまの実施例を示す斜視図である。
【符号の説明】
１　　へちま
２　　へちまの孔
３　　補強用心材
４　　伸縮材
５　　凹凸
Ａ　　清浄用へちま
【図１】
2004008770.tif 000003
【図２】
2004008770.tif 000004